(57)【要約】  光源（１２）は、光（Ｌ１）を出力する。分岐部（１３）は、光源（１２）から出力される光（Ｌ１）を第１の分岐光（Ｌ２）と局部発振光（ＬＯ）とに分岐する。変調器（１４）は、第１の分岐光（Ｌ２）を変調して光信号（ＬＳ１）を出力する。受信器（１５）は、局部発振光（ＬＯ）と光信号（ＬＳ２）とを干渉させて光信号（ＬＳ２）を受信する。ＥＤＦＡ（１６）は、変調器（１４）から出力される光信号（ＬＳ１）を増幅する。励起光源（１７）は、ＥＤＦＡ（１６）を励起する励起光（Ｌｅ）をＥＤＦＡ（１６）へ出力する。光減衰器（１８）は、ＥＤＦＡ（１６）で増幅された光信号（ＬＳ１）の光パワーを減衰させる。制御部（１１）は、光減衰器（１８）での光信号（ＬＳ１）の減衰量を制御する。制御部（１１）は、光信号（ＬＳ１）の減衰量を調整し、かつ、励起光源（１７）からの励起光（Ｌｅ）の出力を調整する。
2019012818.tif 000002
【特許請求の範囲】
【請求項１】
光通信装置に対して挿抜可能なプラガブル光モジュールであって、
光を出力する光源と、
前記光源から出力される前記光を第１の分岐光と第２の分岐光とに分岐する第１の分岐部と、
前記第１の分岐光を変調して第１の光信号を出力する変調器と、
前記第２の分岐光と入力された第２の光信号とを干渉させて前記第２の光信号を受信する受信器と、
前記変調器から出力される前記第１の光信号を増幅するファイバ型光増幅器と、
前記ファイバ型光増幅器を励起する励起光を前記ファイバ型光増幅器へ出力する励起光源と、
前記ファイバ型光増幅器で増幅された前記第１の光信号の光パワーを減衰させる第１の光減衰器と、
前記第１の光減衰器での前記第１の光信号の減衰量を制御する制御部と、を備え、
前記制御部は、前記第１の光信号の減衰量を調整し、かつ、前記励起光源からの前記励起光の出力を調整する、
プラガブル光モジュール。
【請求項２】
前記制御部は、前記第１の光信号の減衰量を調整し、かつ、前記励起光源からの前記励起光の出力を調整して、前記プラガブル光モジュールからの前記励起光による漏れ光を防止する、
請求項１に記載のプラガブル光モジュール。
【請求項３】
前記制御部は、前記第１の光信号の減衰量を所定値よりも大きくし、かつ、前記励起光源からの前記励起光の出力を停止する、
請求項１又は２に記載のプラガブル光モジュール。
【請求項４】
前記制御部は、前記光通信装置からの制御信号に応じて、前記第１の光信号の減衰量を調整し、かつ、前記励起光源からの前記励起光の出力を調整する、
請求項１乃至３のいずれか一項に記載のプラガブル光モジュール。
【請求項５】
前記第１の光減衰器で減衰した前記第１の光信号の一部をモニタ光として分岐する第２
の分岐部と、
前記モニタ光に基づいたモニタ信号を前記制御部へ出力するモニタ部と、を更に備え、
前記制御部は、前記モニタ信号に基づいて前記第２の分岐部から出力される前記第１の光信号の光パワーを監視し、前記第１の光信号の光パワーが所定範囲に収まるように、前記光源、前記励起光源及び前記第１の光減衰器の一部又は全部をフィードバック制御する、
請求項１乃至４のいずれか一項に記載のプラガブル光モジュール。
【請求項６】
前記変調器は、マッハツェンダ変調器を含み、
前記制御部は、前記第１の光信号の減衰量を調整した後に、前記マッハツェンダ変調器の導波路に設けられた位相変調領域に印加するバイアス電圧を調整する、
請求項１乃至５のいずれか一項に記載のプラガブル光モジュール。
【請求項７】
前記制御部は、前記変調器から出力される光をモニタし、モニタした光の光パワーが所定範囲に収まるように、前記バイアス電圧をフィードバック制御する、
請求項６に記載のプラガブル光モジュール。
【請求項８】
前記ファイバ型光増幅器から出力される第１の光信号をフィルタリングする帯域フィルタを更に備える、
請求項１乃至７のいずれか一項に記載のプラガブル光モジュール。
【請求項９】
前記制御部は、前記第１の光信号の減衰量を調整した後に、前記光源から出力される前記光の波長に対応して前記帯域フィルタがフィルタリングする帯域を調整する、
請求項８に記載のプラガブル光モジュール。
【請求項１０】
前記第２の光信号を減衰させ、減衰した第２の光信号を前記受信器に出力する第２の光減衰器を更に備え、
前記制御部は、前記光源から出力される前記光の光パワーに基づいて、前記第２の光減衰器での前記第２の光信号の減衰量を調整する、
請求項１乃至９のいずれか一項に記載のプラガブル光モジュール。
【請求項１１】
光通信装置と、
前記光通信装置に対して挿抜可能なプラガブル光モジュールと、を備え、
前記プラガブル光モジュールは、
光を出力する光源と、
前記光源から出力される前記光を第１の分岐光と第２の分岐光とに分岐する第１の分岐部と、
前記第１の分岐光を変調して第１の光信号を出力する変調器と、
前記第２の分岐光と入力された第２の光信号とを干渉させて前記第２の光信号を受信する受信器と、
前記変調器から出力される前記第１の光信号を増幅するファイバ型光増幅器と、
前記ファイバ型光増幅器を励起する励起光を前記ファイバ型光増幅器へ出力する励起光源と、
前記ファイバ型光増幅器で増幅された前記第１の光信号の光パワーを減衰させる第１の光減衰器と、
前記第１の光減衰器での前記第１の光信号の減衰量を制御する制御部と、を備え、
前記制御部は、前記第１の光信号の減衰量を調整する、
光通信システム。
【請求項１２】
前記制御部は、前記第１の光信号の減衰量を調整し、かつ、前記励起光源からの前記励起光の出力を調整して、前記プラガブル光モジュールからの前記励起光による漏れ光を防止する、
請求項１１に記載の光通信システム。
【請求項１３】
前記制御部は、前記第１の光信号の減衰量を所定値よりも大きくし、かつ、前記励起光源からの前記励起光の出力を停止する、
請求項１１又は１２に記載の光通信システム。
【請求項１４】
前記制御部は、前記光通信装置からの制御信号に応じて、前記第１の光信号の減衰量を調整し、かつ、前記励起光源からの前記励起光の出力を調整する、
請求項１１乃至１３のいずれか一項に記載の光通信システム。
【請求項１５】
前記第１の光減衰器で減衰した前記第１の光信号の一部をモニタ光として分岐する第２
の分岐部と、
前記モニタ光に基づいたモニタ信号を前記制御部へ出力するモニタ部と、を更に備え、
前記制御部は、前記モニタ信号に基づいて前記第２の分岐部から出力される前記第１の光信号の光パワーを監視し、前記第１の光信号の光パワーが所定範囲に収まるように、前記光源、前記励起光源及び前記第１の光減衰器の一部又は全部をフィードバック制御する、
請求項１１乃至１４のいずれか一項に記載の光通信システム。
【請求項１６】
前記変調器は、マッハツェンダ変調器を含み、
前記制御部は、前記第１の光信号の減衰量を調整した後に、前記マッハツェンダ変調器の導波路に設けられた位相変調領域に印加するバイアス電圧を調整する、
請求項１１乃至１５のいずれか一項に記載の光通信システム。
【請求項１７】
前記制御部は、前記変調器から出力される光をモニタし、モニタした光の光パワーが所定範囲に収まるように、前記バイアス電圧をフィードバック制御する、
請求項１６に記載の光通信システム。
【請求項１８】
前記ファイバ型光増幅器から出力される第１の光信号をフィルタリングする帯域フィルタを更に備える、
請求項１１乃至１７のいずれか一項に記載の光通信システム。
【請求項１９】
前記制御部は、前記第１の光信号の減衰量を調整した後に、前記光源から出力される前記光の波長に対応して前記帯域フィルタがフィルタリングする帯域を調整する、
請求項１８に記載の光通信システム。
【請求項２０】
前記第２の光信号を減衰させ、減衰した第２の光信号を前記受信器に出力する第２の光減衰器を更に備え、
前記制御部は、前記光源から出力される前記光の光パワーに基づいて、前記第２の光減衰器での前記第２の光信号の減衰量を調整する、
請求項１１乃至１９のいずれか一項に記載の光通信システム。
【請求項２１】
光を出力する光源と、前記光源から出力される前記光を第１の分岐光と第２の分岐光とに分岐する第１の分岐部と、前記第１の分岐光を変調して第１の光信号を出力する変調器と、前記第２の分岐光と入力された第２の光信号とを干渉させて前記第２の光信号を受信する受信器と、前記変調器から出力される前記第１の光信号を増幅するファイバ型光増幅器と、前記ファイバ型光増幅器を励起する励起光を前記ファイバ型光増幅器へ出力する励起光源と、前記ファイバ型光増幅器で増幅された前記第１の光信号の光パワーを減衰させる第１の光減衰器と、前記第１の光減衰器での前記第１の光信号の減衰量を制御する制御部と、を有する、光通信装置に対して挿抜可能なプラガブル光モジュールにおいて、
前記制御部に、前記第１の光信号の減衰量を調整させ、かつ、前記励起光源からの前記励起光の出力を調整させる、
プラガブル光モジュールの制御方法。
【請求項２２】
前記制御部に、前記第１の光信号の減衰量を調整させ、かつ、前記励起光源からの前記励起光の出力を調整させて、前記プラガブル光モジュールからの前記励起光による漏れ光を防止する、
請求項２１に記載のプラガブル光モジュールの制御方法。
【請求項２３】
前記制御部に、前記第１の光信号の減衰量を所定値よりも大きくさせ、かつ、前記励起光源からの前記励起光の出力を停止させる、
請求項２１又は２２に記載のプラガブル光モジュールの制御方法。
【請求項２４】
前記制御部に、前記光通信装置からの制御信号に応じて、前記第１の光信号の減衰量を調整させ、かつ、前記励起光源からの前記励起光の出力を調整させる、
請求項２１乃至２３のいずれか一項に記載のプラガブル光モジュールの制御方法。
【請求項２５】
前記プラガブル光モジュールは、前記第１の光減衰器で減衰した前記第１の光信号の一部をモニタ光として分岐する第２の分岐部と、前記モニタ光に基づいたモニタ信号を前記制御部へ出力するモニタ部と、を更に有し、
前記制御部に、前記モニタ信号に基づいて前記第２の分岐部から出力される前記第１の光信号の光パワーを監視させ、前記第１の光信号の光パワーが所定範囲に収まるように、前記光源、前記励起光源及び前記第１の光減衰器の一部又は全部をフィードバック制御させる、
請求項２１乃至２４のいずれか一項に記載のプラガブル光モジュールの制御方法。
【請求項２６】
前記変調器は、マッハツェンダ変調器を含み、
前記制御部に、前記第１の光信号の減衰量を調整した後に、前記マッハツェンダ変調器の導波路に設けられた位相変調領域に印加するバイアス電圧を調整させる、
請求項２１乃至２５のいずれか一項に記載のプラガブル光モジュールの制御方法。
【請求項２７】
前記制御部に、前記変調器から出力される光をモニタさせ、モニタした光の光パワーが所定範囲に収まるように、前記バイアス電圧をフィードバック制御させる、
請求項２６に記載のプラガブル光モジュールの制御方法。
【請求項２８】
前記プラガブル光モジュールは、前記ファイバ型光増幅器から出力される第１の光信号をフィルタリングする帯域フィルタを更に有する、
請求項２１乃至２７のいずれか一項に記載のプラガブル光モジュールの制御方法。
【請求項２９】
前記制御部に、前記第１の光信号の減衰量を調整した後に、前記光源から出力される前記光の波長に対応して前記帯域フィルタがフィルタリングする帯域を調整させる、
請求項２８のいずれか一項に記載のプラガブル光モジュールの制御方法。
【請求項３０】
前記プラガブル光モジュールは、前記第２の光信号を減衰させ、減衰した第２の光信号を前記受信器に出力する第２の光減衰器を更に有し、
前記制御部に、前記光源から出力される前記光の光パワーに基づいて、前記第２の光減衰器での前記第２の光信号の減衰量を調整させる、
請求項２１乃至２９のいずれか一項に記載のプラガブル光モジュールの制御方法。
【発明の詳細な説明】
【技術分野】
【０００１】
本発明は、プラガブル光モジュール、光通信システム及びプラガブル光モジュールの制御方法に関する。
【背景技術】
【０００２】
通信トラフィックの急激な増加により、伝送容量の拡大が必要となっている。これに応じて、光ネットワークシステムの高速化／大容量化が進展している。そのため、光ネットワークシステムのキーデバイスである光通信モジュールには、小型化／高速化が求められている。【０００３】
また、光通信システムの大容量化を実現する手法として、光信号の多値位相変調を行うデジタルコヒーレント通信が一般的となっている。このデジタルコヒーレント通信においても、同様に光通信モジュールの小型化／高速化が求められている。また、近年では、光通信システムを柔軟に構築するために、光通信装置に挿抜可能なプラガブル光モジュールの利用が進展している。【０００４】
デジタルコヒーレント通信に用いられるデジタルコヒーレントトランシーバは、一般に、光信号送信機能及び光信号受信機能の両方を有する。この場合、光信号送信機能の光変調器で変調されて光信号となる光を出力する波長可変光源と、光信号受信機能での光信号の検波に用いられる局部発振光を出力する波長可変光源と、が必要となる。これに対し、１つの光源からの光を分岐して送信側と受信側とに分配するトランシーバが提案されている（特許文献１及び２）。【０００５】
こうしたトランシーバでは、送信する光信号の光強度（光パワー）を確保するため、変調器の後段にエルビウム添加光ファイバ増幅器（ＥＤＦＡ：Erbium Doped optical Fiber Amplifier）が挿入される構成が知られている（特許文献１）。励起光源からＥＤＦＡに励起光を入力している状態で光信号がＥＤＦＡに入射すると、光信号は増幅されてＥＤＦＡから出射することとなる。
【先行技術文献】
【特許文献】
【０００６】
【特許文献１】特開２０１６−８２５９０号公報
【特許文献２】国際公開第２０１４−１４１６８５号
【発明の概要】
【発明が解決しようとする課題】
【０００７】
ＥＤＦＡを設ける場合には、上述の通り、ＥＤＦＡに励起光を供給する励起光源が必要となる。一方、デジタルコヒーレントトランシーバを含むプラガブル光モジュールでは、ホスト側の装置から光信号の出力遮断、光信号の波長切替などが指示される場合がある。この場合、誤った光信号がプラガブル光モジュールから漏れ出すのを防止するため、プラガブル光モジュールからの光出力を一旦停止ないしは遮断し、波長切替などの処理を行った後に光出力を行う必要がある。【０００８】
また、ホスト側装置には様々な種類のプラガブル光モジュールが挿入され得るという事情を考慮すると、ホスト側装置がプラガブル光モジュールに指示を与えたときに、プラガブル光モジュールが光出力の停止動作ないしは遮断動作から光出力の開始までの処理を自律的に行えることが望ましい。【０００９】
本発明は上記の事情に鑑みて成されたものであり、本発明の目的は、プラガブル光モジュールにおいて、光出力を停止ないしは遮断した場合の漏れ光を防止することである。
【課題を解決するための手段】
【００１０】
本発明の一態様であるプラガブル光モジュールは、光通信装置に対して挿抜可能なプラガブル光モジュールであって、光を出力する光源と、前記光源から出力される前記光を第１の分岐光と第２の分岐光とに分岐する第１の分岐部と、前記第１の分岐光を変調して第１の光信号を出力する変調器と、前記第２の分岐光と入力された第２の光信号とを干渉させて前記第２の光信号を受信する受信器と、前記変調器から出力される前記第１の光信号を増幅するファイバ型光増幅器と、前記ファイバ型光増幅器を励起する励起光を前記ファイバ型光増幅器へ出力する励起光源と、前記ファイバ型光増幅器で増幅された前記第１の光信号の光パワーを減衰させる第１の光減衰器と、前記第１の光減衰器での前記第１の光信号の減衰量を制御する制御部と、を有し、前記制御部は、前記第１の光信号の減衰量を調整し、かつ、前記励起光源からの前記励起光の出力を調整する、ものである。【００１１】
本発明の一態様である光通信システムは、光通信装置と、前記光通信装置に対して挿抜可能なプラガブル光モジュールと、を有し、前記プラガブル光モジュールは、光を出力する光源と、前記光源から出力される前記光を第１の分岐光と第２の分岐光とに分岐する第１の分岐部と、前記第１の分岐光を変調して第１の光信号を出力する変調器と、前記第２の分岐光と入力された第２の光信号とを干渉させて前記第２の光信号を受信する受信器と、前記変調器から出力される前記第１の光信号を増幅するファイバ型光増幅器と、前記ファイバ型光増幅器を励起する励起光を前記ファイバ型光増幅器へ出力する励起光源と、前記ファイバ型光増幅器で増幅された前記第１の光信号の光パワーを減衰させる第１の光減衰器と、前記第１の光減衰器での前記第１の光信号の減衰量を制御する制御部と、を有し、前記制御部は、前記第１の光信号の減衰量を調整するものである。【００１２】
本発明の一態様であるプラガブル光モジュールの制御方法は、光を出力する光源と、前記光源から出力される前記光を第１の分岐光と第２の分岐光とに分岐する第１の分岐部と、前記第１の分岐光を変調して第１の光信号を出力する変調器と、前記第２の分岐光と入力された第２の光信号とを干渉させて前記第２の光信号を受信する受信器と、前記変調器から出力される前記第１の光信号を増幅するファイバ型光増幅器と、前記ファイバ型光増幅器を励起する励起光を前記ファイバ型光増幅器へ出力する励起光源と、前記ファイバ型光増幅器で増幅された前記第１の光信号の光パワーを減衰させる第１の光減衰器と、前記第１の光減衰器での前記第１の光信号の減衰量を制御する制御部と、を有する、光通信装置に対して挿抜可能なプラガブル光モジュールにおいて、前記制御部に、前記第１の光信号の減衰量を調整させ、かつ、前記励起光源からの前記励起光の出力を調整させる、ものである。
【発明の効果】
【００１３】
本発明によれば、プラガブル光モジュールにおいて、光出力を停止ないしは遮断した場合の漏れ光を防止することができる。
【図面の簡単な説明】
【００１４】
【図１】実施の形態１にかかるプラガブル光モジュールの基本構成を模式的に示すブロック図である。
【図２】実施の形態１にかかるプラガブル光モジュールの構成を模式的に示すブロック図である。
【図３】実施の形態１にかかるプラガブル光モジュールが搭載される光通信システムの構成例を示すブロック図である。
【図４】実施の形態１にかかる制御部の構成を模式的に示すブロック図である。
【図５】実施の形態１にかかる変調器の構成を模式的に示す図である。
【図６】実施の形態１にかかる受信器の構成例を示すブロック図である。
【図７】実施の形態１にかかるプラガブル光モジュールを光ファイバ側から見た場合の斜視図である。
【図８】実施の形態１にかかるプラガブル光モジュールを光通信装置側から見た場合の斜視図である。
【図９】実施の形態１にかかるプラガブル光モジュールの光出力遮断動作を模式的に示すシーケンス図である。
【図１０】実施の形態１にかかるプラガブル光モジュールの光出力開始動作を模式的に示すシーケンス図である。
【図１１】実施の形態２にかかるプラガブル光モジュールの構成を模式的に示すブロック図である。
【図１２】実施の形態２にかかるプラガブル光モジュールの光信号のフィードバック制御動作を示すシーケンス図である。
【図１３】光信号の光強度（光パワー）の目標値と光源、励起光源及び光減衰器の設定値との関係を示すルックアップテーブルの例を示す図である。
【図１４】実施の形態３にかかるプラガブル光モジュールのバイアス電圧調整動作を示すシーケンス図である。
【図１５】実施の形態４にかかるプラガブル光モジュールの構成を模式的に示すブロック図である。
【図１６】実施の形態４にかかるプラガブル光モジュールのフィルタ帯域制御動作を示すシーケンス図である。
【図１７】実施の形態５にかかるプラガブル光モジュールの構成を模式的に示すブロック図である。
【図１８】実施の形態５にかかるプラガブル光モジュールの光出力遮断動作を示すシーケンス図である。
【発明を実施するための形態】
【００１５】
以下、図面を参照して本発明の実施の形態について説明する。各図面においては、同一要素には同一の符号が付されており、必要に応じて重複説明は省略される。
【００１６】
実施の形態１
実施の形態１にかかるプラガブル光モジュール１００について説明する。プラガブル光モジュール１００は、例えば、外部の通信装置との間でデジタルコヒーレント光通信を行う光トランシーバとして構成されるものである。図１は、実施の形態１にかかるプラガブル光モジュール１００の基本構成を模式的に示すブロック図である。図２は、実施の形態１にかかるプラガブル光モジュール１００の構成を模式的に示すブロック図である。図３は、実施の形態１にかかるプラガブル光モジュール１００が搭載される光通信システム１０００の構成例を示すブロック図である。
【００１７】
図２に示すように、プラガブル光モジュール１００は、光ファイバ９１及び９２の端部に設けられたコネクタ部が挿抜可能に構成される。光ファイバ９１及び９２のコネクタとしては、例えばＬＣ型コネクタやＭＵ型コネクタを用いることができる。プラガブル光モジュール１００は、通信ホスト装置である光通信装置９３から入力される制御信号ＣＯＮに基づいて制御される。プラガブル光モジュール１００は、制御信号ＣＯＮとともに、光通信装置９３からデータ信号である変調信号ＭＯＤを受信することも可能である。この場合、プラガブル光モジュール１００は、受信した変調信号ＭＯＤに基づいて変調した光信号ＬＳ１（第１の光信号とも称する）を、光ファイバ９１を介して出力することができる。また、プラガブル光モジュール１００は、光ファイバ９２を介して外部から受信した光信号ＬＳ２（第２の光信号とも称する）を復調したデータ信号ＤＡＴを、光通信装置９３へ出力することができる。
【００１８】
光通信装置９３は、例えば、プラガブル光モジュール１００からの通信データ信号又はプラガブル光モジュール１００に入力する通信データ信号のフレーム処理等の通信データ処理を行う。光通信装置９３の詳細については、後に説明する。
【００１９】
プラガブル光モジュール１００は、プラガブル電気コネクタ１、プラガブル光レセプタ２、制御部１１、光源１２、分岐部１３、変調器１４、受信器１５、エルビウム添加光ファイバ増幅器（ＥＤＦＡ：Erbium Doped optical Fiber Amplifier）１６、励起光源１７及び光減衰器１８を有する。
【００２０】
プラガブル電気コネクタ１は、光通信装置９３に挿抜可能なＩ／Ｏ（Input/Output）ポートとして構成される。光通信装置９３からは、プラガブル電気コネクタ１を介して，電気信号である制御信号ＣＯＮが制御部１１へ出力され、電気信号である変調信号ＭＯＤが変調器１４へ出力される。また、受信器１５からは、プラガブル電気コネクタ１を介して、データ信号ＤＡＴが光通信装置９３へ出力される。
【００２１】
プラガブル光レセプタ２は、光ファイバ９１及び９２のコネクタが挿抜可能に構成される。光信号ＬＳ１は、プラガブル光レセプタ２を介して、光ファイバ９１に送出される。光ファイバ９２を伝搬してプラガブル光モジュール１００に入力される光信号ＬＳ２は、プラガブル光レセプタ２を介して、受信器１５に入力される。なお、プラガブル光レセプタ２を単一の部品として説明したが、当然のことながら、光ファイバ９１が挿抜可能なプラガブル光レセプタと光ファイバ９２が挿抜可能なプラガブル光レセプタとが分離して設けられてもよい。
【００２２】
制御部１１は、制御信号ＣＯＮに応じて、プラガブル光モジュール１００の各部、すなわち、光源１２、変調器１４、受信器１５、励起光源１７及び光減衰器１８の動作を制御可能に構成される。この例では、制御部１１は、制御信号ＣＯＮに応じて制御信号ＣＯＮ１〜ＣＯＮ５を生成し、制御信号ＣＯＮ１〜ＣＯＮ５を、例えばプラガブル電気コネクタ１を介して、それぞれ光源１２、変調器１４、受信器１５、励起光源１７及び光減衰器１８へ出力する。
【００２３】
制御部１１は、コンピュータなどのハードウェア資源を用いて構成することが可能である。以下、制御部１１の構成例について説明する。図４は、実施の形態１にかかる制御部１１の構成を模式的に示すブロック図である。
【００２４】
制御部１１は、中央処理装置（ＣＰＵ）１１Ａ、不揮発性記憶装置（ＮＶＭ）１１Ｂ、ランダムアクセスメモリ（ＲＡＭ）１１Ｃ、入出力ポート（Ｉ／Ｏ）１１Ｄ及び内部バス１１Ｅを有する。図示しないが、制御部１１は、アナログモジュール、クロック発振器（ＣＰＧ）などの、他の機能ブロックやモジュールを有していてもよい。また、図示しないが、制御部１１は、アナログモジュールとして、例えばアナログ／デジタル（Ａ／Ｄ）変換器およびデジタル／アナログ（Ｄ／Ａ）変換器などが設けられる。
【００２５】
ＣＰＵ１１Ａは、主にＮＶＭ１１Ｂから命令を読み込んで動作し、作業用のデータ領域としてＲＡＭ１１ＣやＩ／Ｏ１１Ｄなどをリード／ライトする。ＣＰＵ１１Ａがプログラムを実行することで、制御部１１は所要の処理を実現する。
【００２６】
ＮＶＭ１１Ｂは、ＣＰＵ１１Ａからのコマンドなどによって、消去や書き込みの動作を開始する。例えば、制御部１１は、ＮＶＭ１１Ｂから制御情報やプログラムを読み出し、実行することができる。
【００２７】
ＲＡＭ１１Ｃは、ＣＰＵ１１Ａの作業用に使用される。また、ＲＡＭ１１Ｃは、ＮＶＭ１１Ｂの書き換え時に書き込み内容を一時記憶するために使用される。
【００２８】
Ｉ／Ｏ１１Ｄは、種々の入出力機能を有し、ＣＰＵ１１Ａのプログラム実行に従って動作する。Ｉ／Ｏ１１Ｄは、光通信装置９３から出力される制御信号ＣＯＮを受け取り、内部バス１１Ｅを介して制御部１１へ転送する。また、Ｉ／Ｏ１１Ｄは、内部バス１１Ｅを介して制御部１１が出力する各種の制御信号ＣＯＮ１〜ＣＯＮ５を受け取り、プラガブル光モジュール１００の各部へ、例えばプラガブル電気コネクタ１を介して転送する。
【００２９】
光源１２は、制御信号ＣＯＮ１に応じて決定された波長の光を出力する波長可変光源として構成される。光源１２は、例えば、半導体光増幅器と波長フィルタとを有する光源ユニットとして構成してもよい。
【００３０】
分岐部１３（第１の分岐部とも称する）は、光源１２が出力した光を光Ｌ２（第１の分岐光とも称する）と局部発振光ＬＯ（第２の分岐光とも称する）とに分岐する。分岐部１３としては、Ｙ分岐、ビームスプリッタ、プリズムなどの入射する光を分岐できる各種の光学部品を用いてもよい。
【００３１】
変調器１４は、光通信装置９３からプラガブル電気コネクタ１を介して入力される変調信号ＭＯＤに基づいて、分岐部１３で分岐された光Ｌ２を変調し、変調光を光信号ＬＳ１として出力する。変調器１４の動作は、制御部１１から入力される制御信号ＣＯＮ２に基づいて制御される。これにより、変調器１４は、光Ｌ２の波長に応じた適切な変調動作を行うことができる。
【００３２】
変調器１４は、例えばマッハツェンダ光変調器として構成してもよい。変調器１４をマッハツェンダ光変調器として構成した場合、マッハツェンダ光変調器の光導波路に設けられた位相変調領域に変調信号ＭＯＤに応じた信号を印加することで、光Ｌ２を変調することができる。変調器１４は、位相変調、振幅変調、偏波変調などの各種の変調方式で、又は、各種の変調方式を組み合わせて光Ｌ２を変調することができる。ここで、マッハツェンダ型光変調器は、例えば、半導体光変調器等である。
【００３３】
上述の位相変調領域とは、光導波路上に形成された電極を有する領域である。位相変調領域の電極に電気信号、例えば電圧信号が印加されることにより、電極下の光導波路の実効屈折率が変化する。その結果、位相変調領域の光導波路の実質的な光路長を変化させることができる。これにより、位相変調領域の光導波路を伝搬する光信号の位相を変化させることができる。マッハツェンダ変調器では、２本の光導波路の間を伝搬する光信号間に位相差を与えて、その後２つの光信号を合波することで、合波後の光信号を変調することができる。
【００３４】
変調器１４の構成例について説明する。図５は、実施の形態１にかかる変調器１４の構成を模式的に示す図である。ここでは、変調器１４は、一般的なマッハツェンダ型光変調器として構成される。変調器１４は、駆動回路１４Ａと、基板１４Ｂ上に形成された光導波路ＷＧ１〜ＷＧ４及び位相変調領域ＰＭＡ、ＰＭＢと、を有する。光導波路ＷＧ１の一端には、光源１２から出力された光Ｌ２が入射する。光導波路ＷＧ１の他端は、光導波路ＷＧ２の一端及び光導波路ＷＧ３の一端と光学的に接続される。よって、光導波路ＷＧ１を伝搬する光は、光導波路ＷＧ２と光導波路ＷＧ３とに分岐される。光導波路ＷＧ２の他端及び光導波路ＷＧ３の他端とは、光導波路ＷＧ４の一端と接続される。光導波路ＷＧ２には、光導波路ＷＧ２を伝搬する光の位相を変化させる位相変調領域ＰＭＡが配置される。光導波路ＷＧ３には、光導波路ＷＧ２を伝搬する光の位相を変化させる位相変調領域ＰＭＢが配置される。光導波路ＷＧ４の他端からは、光信号ＬＳ１が出力される。
【００３５】
駆動回路１４Ａは、変調器１４の変調動作を制御するとともに、位相変調領域ＰＭＡ及びＰＭＢの一方又は双方に、制御信号ＣＯＮ２に応じたバイアス電圧ＶＢＩＡＳを印加することで、変調器１４の動作点を制御することができる。以下では、駆動回路１４Ａは、位相変調領域ＰＭＡ及びＰＭＢの両方にバイアス電圧を印加するものとして説明する。また、駆動回路１４Ａは、位相変調領域ＰＭＡ及びＰＭＢの一方又は双方に変調信号ＭＯＤに応じた信号を印加することで、光Ｌ２を変調した光信号ＬＳ１が変調器１４からを出力される。この例では、駆動回路１４Ａは、変調信号ＭＯＤに応じた変調信号ＳＩＧ＿Ｍ１を位相変調領域ＰＭＡに印加し、変調信号ＭＯＤに応じた変調信号ＳＩＧ＿Ｍ２を位相変調領域ＰＭＢに印加する。
【００３６】
受信器１５は、光ファイバ９２を介して外部から受信した光信号ＬＳ２を、局部発振光ＬＯと干渉させることで復調を行う。受信器１５は、復調された電気信号であるデータ信号ＤＡＴを、プラガブル電気コネクタ１を介して光通信装置９３へ出力する。受信器１５は、制御部１１が出力する制御信号ＣＯＮ３によって制御され、光信号ＬＳ２（ないしは局部発振光ＬＯ）の波長に応じた最適な復調動作を行うことができる。
【００３７】
受信器１５は、例えば、ＤＰ−ＱＰＳＫ（Dual-Polarization Quadrature Phase-Shift Keying）光信号を電気信号に復調するデジタルコヒーレント受信を行う受信器である。図６は、実施の形態１にかかる受信器１５の構成例を示すブロック図である。図６に示すように、受信器１５は、偏光ビームスプリッタ（Ｐｏｌａｒｉｚａｔｉｏｎ Ｂｅａｍ Ｓｐｌｉｔｔｅｒ：以下、ＰＢＳと表記する）３１、ＰＢＳ３２、９０°ハイブリッド３３及び３４、光電変換器（Ｏ／Ｅ：Optical/Electrical converter）４１〜４４、アナログ／デジタル変換器（ＡＤＣ：Analog to Digital Converter）５１〜５４及びデジタル信号処理部（Ｄｉｇｉｔａｌ  Ｓｉｇｎａｌ  Ｐｒｏｃｅｓｓｏｒ、以下ＤＳＰと表記する）３５を有する。
【００３８】
ＰＢＳ３１には、プラガブル光レセプタ２を介して、光信号ＬＳ２（例えば、ＤＰ−ＱＰＳＫ光信号）が入力する。ＰＢＳ３１は、入力した光信号ＬＳ２を、直交する２つの偏波成分に分離する。具体的には、ＰＢＳ３１は、光信号ＬＳ２を、互いに直交するｘ偏波成分ｘｉｎとｙ偏波成分ｙｉｎとに分離する。ｘ偏波成分ｘｉｎは９０°ハイブリッド３３に入力し、ｙ偏波成分ｙｉｎは９０°ハイブリッド３４に入力する。
【００３９】
光源１２からの局部発振光ＬＯは、ＰＢＳ３２に入力する。本実施の形態では、ＰＢＳ３２は、局部発振光ＬＯを、直交する２つの偏波成分（ｘ偏波成分ＬＯｘ及びｙ偏波成分ＬＯｙ）に分離する。局部発振光ＬＯのｘ偏波成分ＬＯｘは９０°ハイブリッド３３に入力し、局部発振光ＬＯのｙ偏波成分ＬＯｙは９０°ハイブリッド３４に入力する。
【００４０】
９０°ハイブリッド３３は、局部発振光ＬＯのｘ偏波成分ＬＯｘとｘ偏波成分ｘｉｎとを干渉させることで検波し、Ｉ（In-phase：同相）成分（以下、ｘｉｎ−Ｉ成分）と、Ｉ成分と位相が９０°異なるＱ（Quadrature：直交）成分（以下、ｘｉｎ−Ｑ成分）と、を検波光として出力する。９０°ハイブリッド３４は、局部発振光ＬＯのｙ偏波成分ＬＯｙとｙ偏波成分ｙｉｎとを干渉させることで検波し、Ｉ成分（以下、ｙｉｎ―Ｉ成分）及びＱ成分（以下、ｙｉｎ―Ｑ成分）を検波光として出力する。
【００４１】
光電変換器４１〜４４は、９０°ハイブリッド３３及び３４が出力する４つの光信号（ｘｉｎ−Ｉ成分、ｘｉｎ−Ｑ成分、ｙｉｎ−Ｉ成分及びｘｉｎ−Ｑ成分）のそれぞれを光電変換する。そして、光電変換器４１〜４４は、光電変換により生成したアナログ電気信号を、それぞれＡＤＣ５１〜５４に出力する。具体的には、光電変換器４１は、ｘｉｎ−Ｉ成分を光電変換し、生成したアナログ電気信号をＡＤＣ５１に出力する。光電変換器４２は、ｘｉｎ−Ｑ成分を光電変換し、生成したアナログ電気信号をＡＤＣ５２に出力する。光電変換器４３は、ｙｉｎ−Ｉ成分を光電変換し、生成したアナログ電気信号をＡＤＣ５３に出力する。光電変換器４４は、ｙｉｎ−Ｑ成分を光電変換し、生成したアナログ電気信号をＡＤＣ５４に出力する。
【００４２】
ＡＤＣ５１〜５４は、光電変換器４１〜４４が出力するアナログ電気信号を、それぞれデジタル信号に変換し、変換したデジタル信号をＤＳＰ３５に出力する。
【００４３】
ＤＳＰ３５は、入力するデジタル信号に所定の偏波分離デジタル信号処理を行い、復調した信号を含むデータ信号ＤＡＴを出力する。データ信号ＤＡＴは、プラガブル電気コネクタ１を介して、外部の光通信装置９３に出力される。
【００４４】
プラガブル光モジュール１００の構成について、図１及び２を参照して引き続き説明する。ＥＤＦＡ１６は、ファイバ型光増幅器であり、変調器１４から出力された光信号ＬＳ１を増幅し、増幅した光信号ＬＳ１を出力する。
【００４５】
励起光源１７は、ＥＤＦＡ１６を励起するための励起光Ｌｅを、ＥＤＦＡ１６へ出力する。励起光源１７の動作は、制御部１１が出力する制御信号ＣＯＮ４によって制御される。
【００４６】
光減衰器１８（第１の光減衰器とも称する）は、光信号ＬＳ１を減衰させる可変光減衰器（ＶＯＡ：Variable Optical Attenuator）として構成される。この可変光減衰器（ＶＯＡ）は、例えば利得制御によって出力する光のパワーを制御可能な半導体光増幅器（Semiconductor Optical Amplifier）や物理的に光を遮るシャッターなどで実現されてもよく、換言すれば、ここでいう光減衰器１８とは、上述の半導体光増幅器やシャッターなどの、出力する光のパワーを制御する又は遮ることができる光パワー調整部として機能し得る各種の光学部品を含む。これにより、光信号ＬＳ１の光強度（光パワー）を所望の値に調整することができる。光減衰器１８の動作は、制御部１１が出力する制御信号ＣＯＮ５によって制御される。光減衰器１８を通過した光信号ＬＳ１は、プラガブル光レセプタ２を介して光ファイバ９１に出力される。
【００４７】
次いで、図３を参照して、光通信装置９３について説明する。図３に示すように、光通信装置９３は、例えば複数のスロット９５を有し、スロット９５のそれぞれはプラガブル光モジュール１００を挿抜可能に構成される。プラガブル光モジュール１００は、光通信装置９３内部に複数設けられた基板９４のうち、挿入されたスロット９５に対応する基板９４と間で信号のやり取りを行う。基板９４には、インターフェイス部（Ｉ／Ｆ）９４Ａ、制御部９４Ｂ、送信部９４Ｃ及び受信部９４Ｄが設けられている。Ｉ／Ｆ９４Ａは、プラガブル光モジュール１００と制御部９４Ｂ、送信部９４Ｃ及び受信部９４Ｄとの間の通信を媒介する。制御部９４Ｂは、制御信号ＣＯＮによってプラガブル光モジュール１００の動作を制御するとともに、送信部９４Ｃ及び受信部９４Ｄを併せて制御可能に構成される。送信部９４Ｃは、例えば送信用のフレーマとして構成され、外部から受け取った信号に所望の信号処理を行うことで、プラガブル光モジュール１００に変調信号ＭＯＤを出力できるように構成される。受信部９４Ｄは、例えば受信用のフレーマとして構成され、プラガブル光モジュール１００から出力されるデータ信号ＤＡＴに所望の信号処理を行うことで、データ信号ＤＡＴを光通信装置９３又は光通信装置９３に接続される装置に利用可能な信号に変換できるように構成される。
【００４８】
以上の構成により、デジタルコヒーレント通信用のプラガブル光モジュールにおいて、光源を１つ設けるだけで、変調器１４に変調対象となる光Ｌ１を供給し、かつ、受信した光信号ＬＳ２を復調するための局部発振光ＬＯを供給することができる。つまり、光Ｌ１を供給するための光源と局部発振光ＬＯを供給するための光源とを独立して設ける必要がないので、プラガブル光モジュール１００の小型化及び製造コスト低減を実現できる。
【００４９】
次いで、プラガブル光モジュール１００の外観を示す。図７は、実施の形態１にかかるプラガブル光モジュール１００を光ファイバ９１及び９２側から見た場合の斜視図である。図７に示す符号６１は、プラガブル光モジュール１００の上面を示す。図７に示す符号６２は、プラガブル光レセプタ２の光ファイバのコネクタの差込口を示す。図８は、実施の形態１にかかるプラガブル光モジュール１００を光通信装置９３側から見た場合の斜視図である。図８に示す符号６３は、プラガブル光モジュール１００の下面を示す。図８に示す符号６４は、プラガブル電気コネクタ１の光通信装置９３との接続部を示す。
【００５０】
次いで、プラガブル光モジュール１００の動作について説明する。プラガブル光モジュール１００は、上述したように、外部から出力する光信号ＬＳ１の波長の切替を指示されたり、光信号ＬＳ１の出力を中止ないしは中断することを指示されることがある。この場合、ＥＤＦＡ１６を励起するために励起光源１７から出力されている励起光Ｌｅがプラガブル光レセプタ２を介して光ファイバ９１へ漏れ出すのを防止することが求められる。そのため、プラガブル光モジュール１００は、光信号ＬＳ１の出力を停止ないしは遮断するときに、励起光Ｌｅの漏れを確実に防ぐように動作する。
【００５１】
図９は、実施の形態１にかかるプラガブル光モジュール１００の光出力遮断動作を模式的に示すシーケンス図である。
【００５２】
ステップＳＤ１１
光通信装置９３は、制御信号ＣＯＮを出力する。制御部１１は、プラガブル電気コネクタ１を介して制御信号ＣＯＮを受け取る。受け取った制御信号には光信号の出力遮断指示や光信号の波長切替指示などの光出力遮断指示が含まれる。
【００５３】
ステップＳＤ１２
制御部１１は、制御信号ＣＯＮに応じて、光減衰器１８の光減衰量ＡＴＴが所定の値ＴＨよりも大きくなるように、制御信号ＣＯＮ５を用いて光減衰器１８を制御する。これにより、光減衰器１８は、励起光Ｌｅを遮断するシャッターとして機能する。制御部１１は、光減衰器１８の光減衰量ＡＴＴが最大又は十分大きな値となるように制御してもよい。
【００５４】
ステップＳＤ１３
次いで、制御部１１は、制御信号ＣＯＮに応じて、励起光源１７からの励起光Ｌｅの出力が停止するように、制御信号ＣＯＮ４を用いて励起光源１７を制御する。
【００５５】
なお、ここでは、ステップＳＤ１２の後にステップＳＤ１３が実行されるものとしたが、ステップの実行順序はこれに限られず、ステップＳＤ１３の後にステップＳＤ１２が実行されてもよいし、ステップＳＤ１２とステップＳＤ１３とが並行して実行されてもよい。
【００５６】
以上の動作によって、光通信装置９３から光信号遮断指示を受け取った場合に、励起光源１７から出力される励起光Ｌｅがプラガブル光モジュール１００から漏れ出すことを防止することができる。
【００５７】
ステップＳＤ１３の完了後、制御部１１は、光出力の遮断が完了したことを通知する信号を、プラガブル電気コネクタ１を介して光通信装置９３へ出力してもよい。これにより、光通信装置９３はプラガブル光モジュール１００に指示した光出力の遮断が完了したことを確認することが可能となる。
【００５８】
制御部１１が光通信装置９３から受け取った制御信号ＣＯＮに、光信号の波長切替指示が含まれている場合には、ステップＳＤ１３の完了後に、制御信号ＣＯＮ１を用いて光源１２に光Ｌ１の波長の切替を指示してもよい。これにより、光信号を所望の波長に切り換えることが可能となる。
【００５９】
次いで、プラガブル光モジュール１００の光出力開始動作について説明する。例えば上述の光出力遮断動作後、光信号の出力を再開して、光ファイバを介した光信号の送信が開始されることとなる。図１０は、実施の形態１にかかるプラガブル光モジュール１００の光出力開始動作を模式的に示すシーケンス図である。
【００６０】
ステップＳＥ１１
光通信装置９３は、制御信号ＣＯＮを出力する。制御部１１は、プラガブル電気コネクタ１を介して制御信号ＣＯＮを受け取る。受け取った制御信号には光信号の出力開始指示が含まれる。
【００６１】
ステップＳＥ１２
制御部１１は、制御信号ＣＯＮに応じて、励起光源１７が励起光Ｌｅを出力するように、制御信号ＣＯＮ４を用いて励起光源１７を制御する。これにより、励起光源１７からＥＤＦＡ１６へ励起光Ｌｅが出力される。
【００６２】
ステップＳＥ１３
その後、制御部１１は、光減衰器１８の光減衰量ＡＴＴが光信号ＬＳ１の出力に適した値ＴＲＧとなるように、制御信号ＣＯＮ５を用いて光減衰器１８を制御する。
【００６３】
以上の動作によって、光通信装置９３から光出力開始指示を受け取った場合に、励起光源１７からＥＤＦＡ１６へ励起光Ｌｅが出力される。これによって、ＥＤＦＡ１６によって光信号ＬＳ１を増幅し、光減衰器１８で所定量だけ減衰させて、光信号ＬＳ１を光ファイバ９１へ出力することができる。
【００６４】
また、ステップＳＥ１３の完了後、制御部１１は、光出力の開始動作が完了したことを通知する信号を、プラガブル電気コネクタ１を介して光通信装置９３へ出力してもよい。これにより、光通信装置９３はプラガブル光モジュール１００に指示した光出力の開始動作が完了したことを確認することが可能となる。
【００６５】
実施の形態２
次に、実施の形態２にかかるプラガブル光モジュール２００について説明する。プラガブル光モジュール２００は、実施の形態１にかかるプラガブル光モジュール１００の変形例である。図１１は、実施の形態２にかかるプラガブル光モジュール２００の構成を模式的に示すブロック図である。プラガブル光モジュール２００は、プラガブル光モジュール１００に、分岐部２１及びモニタ部２２を追加した構成を有する。プラガブル光モジュール２００のその他の構成は、プラガブル光モジュール１００と同様であるので、説明を省略する。
【００６６】
分岐部２１（第２の分岐部とも称する）は、プラガブル電気コネクタ１と光減衰器１８との間に挿入され、光信号ＬＳ１の一部を分岐し、分岐されたモニタ光Ｌｍはモニタ部２２へ出力される。
【００６７】
モニタ部２２は、例えばフォトダイオードなどの光電変換素子を含み、モニタ光Ｌｍに基づいて光ファイバ９１へ出力される光信号ＬＳ１の光強度（光パワー）を検出する。モニタ部２２は、検出結果を示すモニタ信号ＭＯＮを制御部１１へ出力する。
【００６８】
次いで、プラガブル光モジュール２００における光信号のフィードバック制御について説明する。図１２は、実施の形態２にかかるプラガブル光モジュール２００の光信号のフィードバック制御動作を示すシーケンス図である。
【００６９】
ステップＳ２１
モニタ部２２は、モニタ光Ｌｍに基づいて光信号ＬＳ１の光強度（光パワー）を検出すし、検出結果を示すモニタ信号ＭＯＮを制御部１１へ出力する。
【００７０】
ステップＳ２２
制御部１１は、モニタ信号ＭＯＮを参照することで光信号ＬＳ１の光強度（光パワー）を監視し、光信号ＬＳ１の光強度（光パワー）が所定値となるように又は所定範囲に収まるように、光源１２、励起光源１７及び光減衰器１８の一部又は全部をフィードバック制御する。このとき、光源１２、励起光源１７及び光減衰器１８の一部のみを制御し、他のものについては予め決定された値で駆動されてもよい。これにより、光信号ＬＳ１の光強度（光パワー）を所望の値ないしは所望の範囲内に調整する。
【００７１】
このとき、制御部１１は、光信号ＬＳ１の光強度（光パワー）が予め決定された所定の値ないしは所定の範囲内になるようにフィードバック制御を行ってもよい。予め決定された所定の値及び所定の範囲は、プラガブル光モジュール１００に設けられた図示しない記憶装置に格納してもよく、制御部１１はこの記憶装置に格納された所定の値及び所定の範囲を適宜参照可能に構成されてもよい。また、上述のフィードバック制御は、ハードウェアで構成されたフィードバックループによって自動的に制御されてもよい。
【００７２】
また、図示しないが、ＥＤＦＡ１６の増幅率が一定値ないしは所定の範囲内となるように、励起光源１７の光出力（光パワー）がフィードバック制御されてもよい。このフィードバック制御は、制御部１１が制御信号ＣＯＮ４を使用して励起光源１７の光出力（光パワー）を調整することで実現してもよいし、ハードウェアで構成されたフィードバックループによって自動的に制御されてもよい。
【００７３】
光信号ＬＳ１に対する所定の値ないしは所定の範囲は、光通信装置９３が所定の値ないしは所定の範囲を示す制御情報を含む制御信号ＣＯＮを制御部１１に与えることで設定してもよい。この制御情報は、上述の記憶装置に格納されてもよい。この場合、所定の値及び所定の範囲を示す情報はルックアップテーブルとして格納されてもよい。図１３に、光信号の光強度（光パワー）の目標値と光源、励起光源及び光減衰器の設定値との関係を示すルックアップテーブルの例を示す。
【００７４】
以上、本構成によれば、モニタ信号ＭＯＮを用いて、光信号ＬＳ１の光強度（光パワー）が所望の値ないしは所望の範囲内になるようにフィードバック制御を行うことが可能となる。
【００７５】
実施の形態３
次に、実施の形態３にかかるプラガブル光モジュール３００について説明する。プラガブル光モジュール３００は、実施の形態１にかかるプラガブル光モジュール１００の変形例である。プラガブル光モジュール３００は、制御部１１が変調器１４を併せて制御する点で、プラガブル光モジュール１００と相違する。
【００７６】
制御部１１は、制御信号ＣＯＮ２を用いて、変調器１４を駆動させる動作点を調整するため、バイアス電圧ＶＢＩＡＳを制御する。バイアス電圧ＶＢＩＡＳを変更するときにはプラガブル光モジュール３００からの光出力を停止するので、上述の実施の形態と同様に、励起光Ｌｅの光ファイバ９１への漏れ出しを防止することが求められる。以下、バイアス電圧調整動作について説明する。図１４は、実施の形態３にかかるプラガブル光モジュール３００のバイアス電圧調整動作を示すシーケンス図である。
【００７７】
ステップＳ３１
制御部１１は、光減衰器１８の光減衰量ＡＴＴが所定の値ＴＨよりも大きくなるように、制御信号ＣＯＮ５を用いて光減衰器１８を制御する。これにより、光減衰器１８は、励起光Ｌｅを遮断するシャッターとして機能する。制御部１１は、光減衰器１８の光減衰量ＡＴＴが最大又は十分大きな値となるように制御してもよい。
【００７８】
ステップＳ３２
制御部１１は、励起光源１７からの励起光Ｌｅの出力が停止するように、制御信号ＣＯＮ４を用いて励起光源１７を制御する。
【００７９】
なお、ここでは、ステップＳ３１の後にステップＳ３２が実行されるものとしたが、ステップの実行順序はこれに限られず、ステップＳ３１の後にステップＳ３２が実行されてもよいし、ステップＳ３１とステップＳ３２とが並行して実行されてもよい。
【００８０】
ステップＳ３３
制御部１１は、変調器１４の動作点が所望の動作点となるように、制御信号ＣＯＮ２を用いて変調器１４のバイアス電圧ＶＢＩＡＳを制御する。
【００８１】
ステップＳ３４
制御部１１は、励起光源１７が励起光Ｌｅを出力するように、制御信号ＣＯＮ４を用いて励起光源１７を制御する。これにより、励起光源１７からＥＤＦＡ１６へ励起光Ｌｅが出力される。
【００８２】
ステップＳ３５
その後、制御部１１は、光減衰器１８の光減衰量ＡＴＴが光信号ＬＳ１の出力に適した値ＴＲＧとなるように、制御信号ＣＯＮ５を用いて光減衰器１８を制御する。
【００８３】
以上の動作によって、プラガブル光モジュール３００は、励起光Ｌｅの漏れ出しを防止しつつ変調器１４のバイアス電圧を自律的に制御することが可能となる。
【００８４】
なお、バイアス電圧の制御は、光通信装置９３が動作点調整指示を含む制御信号ＣＯＮを制御部１１に与え、制御部１１が制御信号ＣＯＮに応じてバイアス電圧の調整を行ってもよい。この場合、ステップＳ３５の完了後、制御部１１は、光出力の開始動作が完了したことを通知する信号を、プラガブル電気コネクタ１を介して光通信装置９３へ出力してもよい。これにより、光通信装置９３はプラガブル光モジュール３００に指示した動作点調整が完了したことを確認することが可能となる。
【００８５】
この際、変調器１４から出力される光をモニタし、モニタ結果に基づいてバイアス電圧ＶＢＩＡＳをフィードバック制御することで、動作点をより確実に所望の動作点あるいは所望の範囲に調整してもよい。なお、変調器における光のモニタは、変調器から出力される光に限らず、マッハツェンダ変調器において導波路が合流する部位において、出力と接続される導波路の他に開放端を有する導波路がある場合には、当該開放端における光の出力をモニタして上述のフィードバック制御を行ってもよい。
【００８６】
実施の形態４
次に、実施の形態４にかかるプラガブル光モジュール４００について説明する。プラガブル光モジュール４００は、実施の形態１にかかるプラガブル光モジュール１００の変形例である。図１５は、実施の形態４にかかるプラガブル光モジュール４００の構成を模式的に示すブロック図である。プラガブル光モジュール４００は、プラガブル光モジュール１００に、ＷＤＭフィルタ４０を追加した構成を有する。プラガブル光モジュール４００のその他の構成は、プラガブル光モジュール１００と同様であるので、説明を省略する。
【００８７】
ＷＤＭフィルタ４０は、ＥＤＦＡ１６と光減衰器１８との間に挿入され、光信号ＬＳ１の波長をフィルタリングする。これにより、光信号ＬＳ１から例えばＥＤＦＡ１６に起因するノイズ成分などが除去される。
【００８８】
本実施の形態では、ＷＤＭフィルタ４０のフィルタ帯域は、制御部１１が出力する制御信号ＣＯＮ６によって制御することができる。ＷＤＭフィルタ４０のフィルタ帯域を変更するときにはプラガブル光モジュール４００からの光出力を停止するので、上述の実施の形態と同様に、励起光Ｌｅの光ファイバ９１への漏れ出しを防止することが求められる。以下、フィルタ帯域変更動作について説明する。図１６は、実施の形態４にかかるプラガブル光モジュール４００のフィルタ帯域制御動作を示すシーケンス図である。
【００８９】
ステップＳ４１
光通信装置９３は、制御信号ＣＯＮを出力する。制御部１１は、プラガブル電気コネクタ１を介して制御信号ＣＯＮを受け取る。受け取った制御信号には光信号の波長切替指示の光出力遮断指示が含まれる。
【００９０】
ステップＳ４２
制御部１１は、光減衰器１８の光減衰量ＡＴＴが所定の値よりも小さくなるように、制御信号ＣＯＮ５を用いて光減衰器１８を制御する。これにより、光減衰器１８は、励起光を遮断するシャッターとして機能する。制御部１１は、光減衰器１８の光減衰量ＡＴＴが最大又は十分大きな値となるように制御してもよい。
【００９１】
ステップＳ４３
制御部１１は、励起光源１７からの励起光Ｌｅの出力が停止するように、制御信号ＣＯＮ４を用いて励起光源１７を制御する。
【００９２】
なお、ここでは、ステップＳ４２の後にステップＳ４３が実行されるものとしたが、ステップの実行順序はこれに限られず、ステップＳ４２の後にステップＳ４３が実行されてもよいし、ステップＳ４２とステップＳ４３とが並行して実行されてもよい。
【００９３】
ステップＳ４４
制御部１１は、ＷＤＭフィルタ４０のフィルタ帯域が所望の帯域となるように、制御信号ＣＯＮ６を用いてＷＤＭフィルタ４０をフィードバック制御する。なお、ＷＤＭフィルタ４０は、制御部からの制御を受けないパッシブ部品として構成してもよい。この場合、ＷＤＭフィルタ４０のフィルタ帯域は、範囲となるように設計時に決定される。
【００９４】
ステップＳ４５
制御部１１は、励起光源１７が励起光Ｌｅを出力するように、制御信号ＣＯＮ４を用いて励起光源１７を制御する。これにより、励起光源１７からＥＤＦＡ１６へ励起光Ｌｅが出力される。
【００９５】
ステップＳ４６
その後、制御部１１は、光減衰器１８の光減衰量ＡＴＴが光信号ＬＳ１の出力に適した値ＴＲＧとなるように、制御信号ＣＯＮ５を用いて光減衰器１８を制御する。
【００９６】
ＷＤＭフィルタ４０のフィルタ帯域の制御情報は、実施の形態２と同様にルックアップテーブルの一部として記憶装置に格納されてもよい。また、光通信装置９３がＷＤＭフィルタ４０のフィルタ帯域の制御情報を含む制御信号ＣＯＮを制御部１１に与えることで設定されてもよい。この場合、ステップＳ４６の完了後、制御部１１は、ＷＤＭフィルタ４０のフィルタ帯域の制御動作が完了したことを通知する信号を、プラガブル電気コネクタ１を介して光通信装置９３へ出力してもよい。これにより、光通信装置９３はプラガブル光モジュール４００に指示したフィルタ帯域の制御動作が完了したことを確認することが可能となる。
【００９７】
実施の形態５
次に、実施の形態５にかかるプラガブル光モジュール５００について説明する。プラガブル光モジュール５００は、実施の形態１にかかるプラガブル光モジュール１００の変形例である。図１７は、実施の形態５にかかるプラガブル光モジュール５００の構成を模式的に示すブロック図である。プラガブル光モジュール５００は、プラガブル光モジュール１００に、光減衰器５０（第２の光減衰器とも称する）を追加した構成を有する。プラガブル光モジュール５００のその他の構成は、プラガブル光モジュール１００と同様であるので、説明を省略する。
【００９８】
プラガブル光モジュール５００では、光信号ＬＳ１の光強度（光パワー）を制御するため、光源１２から出力される光Ｌ１の光強度（光パワー）を必要に応じて制御する。本構成では、送信側と受信側とで光源１２を共有しているため、光Ｌ１の光強度（光パワー）の変動に伴い、光Ｌ１を分岐した局部発振光ＬＯの光強度（光パワー）も変動することとなる。しかしながら、光信号ＬＳ２を復調するには、光信号ＬＳ２の光強度（光パワー）と局部発振光ＬＯの光強度（光パワー）とをマッチングさせる必要があるので、局部発振光ＬＯの光強度（光パワー）の変動に応じて光信号ＬＳ２の光強度（光パワー）を適宜調整する必要がある。つまり、光出力の遮断中や波長切替動作中に光源１２から出力される光Ｌ１の光強度（光パワー）を調整した場合には、併せて光信号ＬＳ２の光強度（光パワー）を適切に調整することが求められる。
【００９９】
そのため、本実施の形態にかかるプラガブル光モジュール５００では、光ファイバ９２からプラガブル光レセプタ２を介して入力される光信号ＬＳ２を減衰させる可変光減衰器である光減衰器５０が設けられている。光減衰器５０の減衰量は、制御部１１が出力する制御信号ＣＯＮ７によって制御することができる。制御部１１が光減衰器５０の減衰量を併せて調整することで、光源１２から出力される光Ｌ１の光強度（光パワー）を調整した場合でも、受信器１５に入力する光信号ＬＳ２の光強度（光パワー）を適切な値ないしは適切な範囲内とすることができる。
【０１００】
以下、プラガブル光モジュール５００の動作について説明する。図１８は、実施の形態５にかかるプラガブル光モジュール５００の光出力遮断動作を示すシーケンス図である。
【０１０１】
ステップＳ５１
光通信装置９３は、制御信号ＣＯＮを出力する。制御部１１は、プラガブル電気コネクタ１を介して制御信号ＣＯＮを受け取る。受け取った制御信号には光信号の出力遮断指示や光信号の波長切替指示などの光出力遮断指示が含まれる。
【０１０２】
ステップＳ５２
制御部１１は、制御信号ＣＯＮに応じて、光源１２、励起光源１７及び光減衰器１８を適宜調整する。ステップＳ５２での光源１２、励起光源１７及び光減衰器１８の調整については、実施の形態２と同様であるので説明を省略する。
【０１０３】
ステップＳ５３
制御部１１は、制御情報に応じて、調整後の光Ｌ１の光強度（光パワー）に基づいて、分岐部１３で分岐される局部発振光ＬＯの光強度（光パワー）に対して、受信器１５に入力する光信号ＬＳ２が所望の値ないしは所望の範囲内となるように、制御信号ＣＯＮ７を用いて光減衰器５０の減衰量を調整する。
【０１０４】
ステップＳ５４
制御部１１は、制御情報に応じて、受信器１５を設定する。このとき、制御部１１は、例えば受信器に含まれるＤＳＰの分散補償、スキュー補償などのデジタル処理に用いられるパラメータを設定する。
【０１０５】
以上の動作によって、光通信装置９３から光信号遮断指示を受け取った場合に、励起光源１７から出力される励起光Ｌｅがプラガブル光モジュール１００から漏れ出すことを防止することができる。
【０１０６】
加えて、光減衰器５０の減衰量を調整することで光信号ＬＳ２の光強度（光パワー）を局部発振光ＬＯの光強度（光パワー）にマッチングさせることができるので、プラガブル光モジュール５００の光源１２を調整した場合でも、適切な受信状態を確保することが可能となる。
【０１０７】
また、ステップＳ５４の完了後、制御部１１は、光出力の遮断が完了したことを通知する信号を、プラガブル電気コネクタ１を介して光通信装置９３へ出力してもよい。これにより、光通信装置９３はプラガブル光モジュール５００に指示した光出力の遮断が完了したことを確認することが可能となる。
【０１０８】
なお、光出力開始動作については、実施の形態１と同様であるので、ここでは説明を省略する。
【０１０９】
その他の実施の形態
なお、本発明は上記実施の形態に限られたものではなく、趣旨を逸脱しない範囲で適宜変更することが可能である。例えば、上述の実施の形態において、変調器への戻り光を防止するため、変調器とＥＤＦＡとの間にアイソレータが挿入されてもよい。
【０１１０】
分岐部１３は、光源１２、変調器１４及び受信器１５から独立したものとして説明したが、これは例示に過ぎない。例えば、分岐部１３は、光源１２に組み込まれていてもよい。また、分岐部１３は、変調器１４に組み込まれていてもよい。この場合、光Ｌ１は変調器１４に入力され、変調器１４内部の分岐部１３で分岐され、分岐された局部発振光ＬＯが受信器１５に入力される。更に、分岐部１３は、受信器１５に組み込まれていてもよい。この場合、光Ｌ１は受信器１５に入力され、受信器１５内部の分岐部１３で分岐され、分岐された光Ｌ２が変調器１４に入力される。
【０１１１】
上述の実施の形態においては、制御部１１は、光通信装置９３からの制御信号ＣＯＮに応じて、光源、光変調器、受信器、励起光源及び光減衰器が制御される例についても説明したが、外部からの制御信号によらず、自律的に光源、光変調器、受信器、励起光源及び光減衰器を制御することもできる。
【０１１２】
上述の実施の形態において、プラガブル電気コネクタ１を介した制御信号のやり取りは、ＭＤＩＯ（Ｍａｎａｇｅｍｅｎｔ  Ｄａｔａ  Ｉｎｐｕｔ／Ｏｕｔｐｕｔ）やＩ２Ｃ（Ｉｎｔｅｒ−Ｉｎｔｅｇｒａｔｅｄ  Ｃｉｒｃｕｉｔ）といった技術を適用することで実現することができる。
【０１１３】
上述の実施の形態においては、受信器１５は、ＤＰ−ＱＰＳＫ光信号を受信するものとして説明したが、これは例示に過ぎない。例えば、ＱＡＭ（quadrature amplitude modulation）等の他の変調信号を受信可能に構成されてもよい。
【０１１４】
上述の実施の形態においては、光源１２を半導体光増幅器と波長フィルタとで構成するものとして説明したが、波長可変光源として機能するならば他の構成とすることができる。例えば、光源１２は、ＤＦＢ（Distributed FeedBack）レーザアレイと、ＤＦＢレーザアレイに含まれる複数のＤＦＢレーザからのレーザ光を選択する選択部とで構成されてもよい。また、ＤＦＢ（Distributed FeedBack）レーザアレイに代えて、ＤＢＲ（Distributed Bragg Reflector）レーザなどの他の種類のレーザで構成されるレーザアレイを用いてもよい。
【０１１５】
実施の形態２〜４を組み合わせたプラガブル光モジュールを構成できることはいうまでもない。例えば、モニタ信号をモニタして光信号の光パワーをフィードバック制御する構成（実施の形態２）、バイアス電圧を調整する構成（実施の形態３）、ＷＤＭフィルタを設けてフィルタリングする帯域を調整する構成（実施の形態４）、及び、受信側の光信号の光パワーを局部発振光ＬＯにマッチするように調整する構成（実施の形態５）の一部又は全部を組み合わせたプラガブル光モジュールを構成してもよいことは、いうまでもない。
【０１１６】
上述の実施の形態で参照した図においては、プラガブル光モジュールに設けられた構成要素間、及び、光通信システムに設けられた構成要素（プラガブル光モジュール及び光通信装置）間での信号の伝達を矢印を用いて表したが、これは２つの構成要素間で一方向のみに信号が伝達されることを意味するものではなく、適宜双方向の信号のやり取りが可能であることは言うまでもない。
【０１１７】
制御部ないしは制御部に含まれるＣＰＵ（Central Processing Unit）にコンピュータプログラムを実行させることにより、上述の実施の形態で説明したプラガブル光モジュール実現することも可能である。
【０１１８】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１９】
以上、実施の形態を参照して本願発明を説明したが、本願発明は上記によって限定されるものではない。本願発明の構成や詳細には、発明のスコープ内で当業者が理解し得る様々な変更をすることができる。
【０１２０】
この出願は、２０１７年７月１４日に出願された日本出願特願２０１７−１３８０４２を基礎とする優先権を主張し、その開示の全てをここに取り込む。
【符号の説明】
【０１２１】
１  プラガブル電気コネクタ
２  プラガブル光レセプタ
１１  制御部
１１Ａ  中央処理装置（ＣＰＵ）
１１Ｂ  不揮発性記憶装置（ＮＶＭ）
１１Ｃ  ランダムアクセスメモリ（ＲＡＭ）
１１Ｄ  入出力ポート（Ｉ／Ｏ）
１１Ｅ  内部バス
１２  光源
１３  分岐部
１４  変調器
１４Ａ  駆動回路
１５  受信器
１６  ＥＤＦＡ
１７  励起光源
１８  光減衰器
２１  分岐部
２２  モニタ部
３１、３２  偏光ビームスプリッタ（ＰＢＳ）
３３、３４  ９０°ハイブリッド
４０  フィルタ
４１〜４４  光電変換器
５０  光減衰器
９１、９２  光ファイバ
９３  光通信装置
９４  基板
９５  スロット
９４Ａ  インターフェイス部（Ｉ／Ｆ）
９４Ｂ  制御部
９４Ｃ  送信部
９４Ｄ  受信部
９５  スロット
１００、２００、３００、４００、５００  プラガブル光モジュール
１０００  光通信システム
ＣＯＮ、ＣＯＮ１〜ＣＯＮ７  制御信号
ＤＡＴ  データ信号
Ｌ１、Ｌ２  光
Ｌｅ  励起光
Ｌｍ  モニタ光
ＬＯ  局部発振光
ＬＳ１、ＬＳ２  光信号
ＭＯＤ  変調信号
ＭＯＮ  モニタ信号
ＰＭＡ、ＰＭＢ  位相変調領域
ＳＩＧ＿Ｍ１、ＳＩＧ＿Ｍ２  変調信号
ＶＢＩＡＳ  バイアス電圧
ＷＧ１〜ＷＧ４  光導波路
【図１】
2019012818.tif 000003
【図２】
2019012818.tif 000004
【図３】
2019012818.tif 000005
【図４】
2019012818.tif 000006
【図５】
2019012818.tif 000007
【図６】
2019012818.tif 000008
【図７】
2019012818.tif 000009
【図８】
2019012818.tif 000010
【図９】
2019012818.tif 000011
【図１０】
2019012818.tif 000012
【図１１】
2019012818.tif 000013
【図１２】
2019012818.tif 000014
【図１３】
2019012818.tif 000015
【図１４】
2019012818.tif 000016
【図１５】
2019012818.tif 000017
【図１６】
2019012818.tif 000018
【図１７】
2019012818.tif 000019
【図１８】
2019012818.tif 000020
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
光通信装置に対して挿抜可能なプラガブル光モジュールであって、
光を出力する光源と、
前記光源から出力される前記光を第１の分岐光と第２の分岐光とに分岐する第１の分岐部と、
前記第１の分岐光を変調して第１の光信号を出力する変調器と、
前記第２の分岐光と入力された第２の光信号とを干渉させて前記第２の光信号を受信する受信器と、
前記変調器から出力される前記第１の光信号を増幅するファイバ型光増幅器と、
前記ファイバ型光増幅器を励起する励起光を前記ファイバ型光増幅器へ出力する励起光源と、
前記ファイバ型光増幅器で増幅された前記第１の光信号の光パワーを減衰させる第１の光減衰器と、
前記第１の光減衰器での前記第１の光信号の減衰量を制御する制御部と、を備え、
前記制御部は、前記第１の光信号の減衰量を調整し、かつ、前記励起光源からの前記励起光の出力を調整する、
プラガブル光モジュール。
【請求項２】
前記制御部は、前記第１の光信号の減衰量を調整し、かつ、前記励起光源からの前記励起光の出力を調整して、前記プラガブル光モジュールからの前記励起光による漏れ光を防止する、
請求項１に記載のプラガブル光モジュール。
【請求項３】
前記制御部は、前記第１の光信号の減衰量を所定値よりも大きくし、かつ、前記励起光源からの前記励起光の出力を停止する、
請求項１又は２に記載のプラガブル光モジュール。
【請求項４】
前記制御部は、前記光通信装置からの制御信号に応じて、前記第１の光信号の減衰量を調整し、かつ、前記励起光源からの前記励起光の出力を調整する、
請求項１乃至３のいずれか一項に記載のプラガブル光モジュール。
【請求項５】
前記第１の光減衰器で減衰した前記第１の光信号の一部をモニタ光として分岐する第２の分岐部と、
前記モニタ光に基づいたモニタ信号を前記制御部へ出力するモニタ部と、を更に備え、
前記制御部は、前記モニタ信号に基づいて前記第２の分岐部から出力される前記第１の光信号の光パワーを監視し、前記第１の光信号の光パワーが所定範囲に収まるように、前記光源、前記励起光源及び前記第１の光減衰器の一部又は全部をフィードバック制御する、
請求項１乃至４のいずれか一項に記載のプラガブル光モジュール。
【請求項６】
前記変調器は、マッハツェンダ変調器を含み、
前記制御部は、前記第１の光信号の減衰量を調整した後に、前記マッハツェンダ変調器の導波路に設けられた位相変調領域に印加するバイアス電圧を調整する、
請求項１乃至５のいずれか一項に記載のプラガブル光モジュール。
【請求項７】
前記制御部は、前記変調器から出力される光をモニタし、モニタした光の光パワーが所定範囲に収まるように、前記バイアス電圧をフィードバック制御する、
請求項６に記載のプラガブル光モジュール。
【請求項８】
前記ファイバ型光増幅器から出力される第１の光信号をフィルタリングする帯域フィルタを更に備える、
請求項１乃至７のいずれか一項に記載のプラガブル光モジュール。
【請求項９】
光通信装置と、
前記光通信装置に対して挿抜可能なプラガブル光モジュールと、を備え、
前記プラガブル光モジュールは、
光を出力する光源と、
前記光源から出力される前記光を第１の分岐光と第２の分岐光とに分岐する第１の分岐部と、
前記第１の分岐光を変調して第１の光信号を出力する変調器と、
前記第２の分岐光と入力された第２の光信号とを干渉させて前記第２の光信号を受信する受信器と、
前記変調器から出力される前記第１の光信号を増幅するファイバ型光増幅器と、
前記ファイバ型光増幅器を励起する励起光を前記ファイバ型光増幅器へ出力する励起光源と、
前記ファイバ型光増幅器で増幅された前記第１の光信号の光パワーを減衰させる第１の光減衰器と、
前記第１の光減衰器での前記第１の光信号の減衰量を制御する制御部と、を備え、
前記制御部は、前記第１の光信号の減衰量を調整する、
光通信システム。
【請求項１０】
光を出力する光源と、前記光源から出力される前記光を第１の分岐光と第２の分岐光とに分岐する第１の分岐部と、前記第１の分岐光を変調して第１の光信号を出力する変調器と、前記第２の分岐光と入力された第２の光信号とを干渉させて前記第２の光信号を受信する受信器と、前記変調器から出力される前記第１の光信号を増幅するファイバ型光増幅器と、前記ファイバ型光増幅器を励起する励起光を前記ファイバ型光増幅器へ出力する励起光源と、前記ファイバ型光増幅器で増幅された前記第１の光信号の光パワーを減衰させる第１の光減衰器と、前記第１の光減衰器での前記第１の光信号の減衰量を制御する制御部と、を有する、光通信装置に対して挿抜可能なプラガブル光モジュールにおいて、
前記制御部に、前記第１の光信号の減衰量を調整させ、かつ、前記励起光源からの前記励起光の出力を調整させる、
プラガブル光モジュールの制御方法。
【国際調査報告】
2019012818.tif 000021
2019012818.tif 000022
2019012818.tif 000023
2019012818.tif 000024